(57)【要約】      （修正有）【課題】背幅調節可能であって、脱落防止構造を有効に利用して、見出しとしても機能する取り出しガイドを容易に形成する取り出しガイド付きファイルを提供する。【解決手段】表裏一対の表紙を備え、一方の表紙１の側端部側には、背表紙３が連設され、他方の表紙２には、背表紙３の側端部側を差し込み可能な開口部４が設けられている取り出しガイド付きファイルであって、開口部４は、開口部４の側端部を折り曲げて形成された脱落防止係止部５を備え、背表紙３の側端部側は、その側端部３ａを折り曲げて形成し、脱落防止係止部５と係合可能な脱落防止片６を備え、さらに、脱落防止係止部５の一部を、折り返し、突出させて取り出しガイド７とする。【選択図】図２
0003200308.tif 000002
【実用新案登録請求の範囲】
【請求項１】
表裏一対の表紙を備え、
一方の表紙の側端部側には、背表紙が連設され、
他方の表紙には、前記背表紙の側端部側を差し込み可能な開口部が設けられている取り出しガイド付きファイルであって、
前記開口部は、該開口部の側端部を折り曲げて形成された脱落防止係止部を備え、
前記背表紙の側端部側は、その側端部を折り曲げて形成し、前記脱落防止係止部と係合可能な脱落防止片を備え、
さらに、前記脱落防止係止部の一部を、折り返し、突出させて取り出しガイドとすることを特徴とする取り出しガイド付きファイル。
【請求項２】
前記取り出しガイドは、前記脱落防止係止部を形成する際にできる折り曲げ線にて、折り返して突出させたことを特徴とする請求項１に記載の取り出しガイド付きファイル。
【考案の詳細な説明】
【技術分野】
【０００１】
本考案は、書類等を綴じ込む背幅調節可能なファイルであって、その綴じ込む書類の内容等を表示し、当該ファイルの取り出しを補助する取り出しガイドを備えた取り出しガイド付きファイルに関する。
【背景技術】
【０００２】
従来から、背幅調節可能なファイルは様々なものが知られているが、例えば、特許文献１に開示されている背幅調節可能なファイルは、表裏一対の表紙を備え、一方の表紙の側端部側には背表紙が連設され、他方の表紙には前記背表紙の側端部側を差し込み可能な開口部が設けられている。そして、この開口部に差し込まれる背表紙の側端部側の長さを調節することで、ファイルの背幅を調節することができる。
【０００３】
さらに、この背幅調節可能なファイルは、背表紙が開口部から引き出されすぎた場合に、背表紙の側端部側が開口部から脱落してしまうのを防止するための脱落防止構造を備えている。この脱落防止構造は、一方の表紙側の背表紙の側端部に設けられた脱落防止係止部に、他方の表紙側に設けられた脱落防止片が係止することで、背表紙の側端部側の脱落を防ぐというものである。
【０００４】
また、綴じ込む書類の内容等を表示する見出し片を備えた見出し付きファイルとして、例えば、特許文献２に開示されているファイルは、表紙の一部に切り込みを設けて、当該部分を、背表紙から突出させて見出し片とするものである。
【０００５】
しかし、上述したように、従来から背幅調節可能なファイルと見出し付きファイルは、個々には存在するものの、両者を組み合わせたファイルは今までになかった。さらに、背幅調節可能なファイル特有の脱落防止構造を利用して、容易に見出し片を形成するものはなかった。また、書類棚等に収納されたファイルは取り出しにくいため、このように形成された見出し片を、ファイルの取り出しを容易にする取り出しガイドとして利用したものもなかった。
【先行技術文献】
【特許文献】
【０００６】
【特許文献１】特開２００８−８０５７５号公報
【特許文献２】特開平８−３１０１７５号公報
【考案の概要】
【考案が解決しようとする課題】
【０００７】
そこで、本考案は、上記問題に鑑み、背幅調節可能であって、脱落防止構造を有効に利用して、見出しとしても機能する取り出しガイドを容易に形成する取り出しガイド付きファイルを提供するものである。
【課題を解決するための手段】
【０００８】
上記課題を解決するために、本考案の取り出しガイド付きファイルは、表裏一対の表紙を備え、一方の表紙の側端部側には、背表紙が連設され、他方の表紙には、前記背表紙の側端部側を差し込み可能な開口部が設けられている取り出しガイド付きファイルであって、前記開口部は、該開口部の側端部を折り曲げて形成された脱落防止係止部を備え、前記背表紙の側端部側は、その側端部を折り曲げて形成し、前記脱落防止係止部と係合可能な脱落防止片を備え、さらに、前記脱落防止係止部の一部を、折り返し、突出させて取り出しガイドとすることを特徴としている。
【０００９】
上記特徴によれば、背幅調節可能なファイル特有の脱落防止構造である脱落防止係止部の一部を折り返して突出させることで、背表紙の側端部の脱落を防止しつつ、容易に取り出しガイドを形成することができる。従来、脱落防止係止部は、開口部内側に折り返されて、脱落防止片と係止するために用いられるものであった。しかし、脱落防止係止部の一部を折り返して突出させることで、見出しとしても機能する取り出しガイドとして有効に利用することが可能となる。
【００１０】
さらに、前記取り出しガイドは、前記脱落防止係止部を形成する際にできる折り曲げ線にて、折り返して突出させたことを特徴としている。
【００１１】
上記特徴により、取り出しガイドは、折り曲げ線にて開口部の内側及び外側のいずれにも、自由に屈曲することができる。従って、取り出しガイドに人の指が強く接触しても、取り出しガイドは屈曲するので、人の指が傷つかず安全である。
【考案の効果】
【００１２】
本考案の取り出しガイド付きファイルは、背幅調節可能であって、脱落防止構造を有効に利用して、見出しとしても機能する取り出しガイドを容易に形成することができる。
【図面の簡単な説明】
【００１３】
【図１】本考案の取り出しガイド付きファイルの全体斜視図である。
【図２】本考案の取り出しガイド付きファイルを分解した図である。
【図３】本考案の取り出しガイド付きファイルの表紙を展開した図である。
【図４】本考案の取り出しガイド付きファイルの拡大断面図である。
【図５】本考案の取り出しガイド付きファイルの実施形態の一例である。
【符号の説明】
【００１４】
１     表紙
２     表紙
３     背表紙
４     開口部
５     脱落防止係止部
６     脱落防止片
７     取り出しガイド
８     綴じ具
１０   取り出しガイド付きファイル
【考案を実施するための形態】
【００１５】
以下に、本考案の実施の形態について、図面を用いて説明する。
【００１６】
図１は、本考案の取り出しガイド付きファイル１０の全体斜視図である。取り出しガイド付きファイル１０は、表裏一対の表紙１及び表紙２と、表紙１と表紙２を連結する背表紙３とからなる。この背表紙３の背幅は、取り出しガイド付きファイル１０に綴じこむ書類等の厚さに応じて調節することができる。また、綴じ込む書類の内容等が表示された取り出しガイド７は、背表紙３より外側へ突出させて、目につきやすくしている。この取り出しガイド７は、見出しとして機能するだけでなく、取り出しガイド付きファイル１０を取り出す際の取手部としても機能する。
【００１７】
では、次に、この取り出しガイド付きファイル１０を分解した状態を図２に示す。表紙１の側端部側には、背表紙３が連設されている。この表紙１と背表紙３は、一枚の紙製のシート材を折り曲げて一体形成されている。さらに、表紙１と背表紙３の間には、このシート材を山折りにして綴じ代１ｆを形成し、当該部分に綴じ具８の綴じ足８aを通す貫通孔１ｇを設けている。また、背表紙３の側端部３aを、折り曲げ線３ｂにて下方へ折り曲げることで、脱落防止片６が形成される。なお、この背表紙３の側端部３aの両側は、面取りされており、開口部４に差し込み易くなっている。
【００１８】
一方、表紙２には、背表紙３の側端部３a側を差し込み可能な開口部４が設けられている。この開口部４の下側には、脱落防止係止部５及び取り出しガイド７が形成されている。また、開口部４の上側には、綴じ代２ｆが設けられており、この綴じ代２ｆに綴じ具８の綴じ足８aが取り付けられている。なお、この脱落防止係止部５、取り出しガイド７、及び綴じ代２ｆも、一枚の紙製のシート材を折り曲げて一体形成されている。
【００１９】
ここで背幅調節について説明する。背表紙３の側端部３a側は、開口部４に差し込み可能になっており、開口部４内で差し込み方向の前後へ自由にスライドさせることできる。そして、開口部４に差し込まれない残りの背表紙３の部分の幅が、取り出しガイド付きファイル１０の背幅となる。したがって、側端部３aをスライドさせることで、任意に、取り出しガイド付きファイル１０の背幅を調節することができる。また、背表紙３には複数の折り込み線３ｃが設けられており、任意に背幅が調節されても取り出しガイド付きファイル１０を閉じやすくなっている。
【００２０】
なお、説明の都合上、開口部４を見やすくするために、開口部４を大きく開口させて強調させている。また、このシート材は、比較的硬質の紙や、その他、柔軟な樹脂により形成されたものであってもよい。
【００２１】
次に、表紙２を展開し、その構成について図３の（a）で詳しく説明する。表紙２は、一枚の紙製のシート材から構成されており、表紙片２a及び２ｂと、糊代部２ｃ、綴じ代２ｆを備えている。この表紙片２aは折り曲げ線２eで内側へ谷折りされ、糊代部２ｃは折り曲げ線２ｄで内側へ谷折りされる。そして、この糊代部２ｃに接着材等を付着させることで、表紙片２aが表紙片２ｂへ接着され、表紙２は袋状となる。したがって、表紙２には、図面上で左側に開口した開口部４が形成されることになる。
【００２２】
では、次に、この開口部４の側端部４aを加工して、脱落防止係止部５及び取り出しガイド７を形成することについて説明する。この側端部４aを折り曲げ線５aで開口部内側に折り曲げると、当該部分が脱落防止係止部５となる。さらに、脱落防止係止部５には、取り出しガイド７を形成するために切り込み７aが入れてある。したがって、脱落防止係止部５の一部である取り出しガイド７を、折り曲げ線５aにて、反対側に折り返すと、図３の（ｂ）に示すように、取り出しガイド７が突出することになる。
【００２３】
また、取り出しガイド７を折り返して突出させる際に、その折り返し位置を、既に脱落防止係止部５を形成する際にできる折り曲げ線５aとすることで、取り出しガイド７を反対側へ折り返しやすくなる。また、取り出しガイド７は、その開口部４から突出するように形成されるので、開口部４の内側及び外側の両方に屈曲することができる（図４の（a）の取り出しガイド７の矢印の方向を参照）。したがって、取り出しガイド７に人の指が強く接触しても、取り出しガイド７は屈曲するので、指に傷が付かず安全である。
【００２４】
このように、本来なら、側端部４aの全ての部分が内側に折り曲げられて、脱落防止係止部５となるが、図３の（ｂ）に示すように、その一部を折り返して突出させることで取り出しガイド７として有効利用することできる。さらに、取り出しガイド７は、表紙２の表紙片２ｂと一体形成されているので、別途、取り出しガイド７を取り付ける必要がない。なお、取り出しガイドとして使用することを望まない場合には、取り出しガイド７は、開口部４内側に折り返されて開口部4内に収容可能である。
【００２５】
次に、図４の（a）では、図２のA−A断面を拡大して示している。脱落防止片６は、側端部３aを折り曲げ線３ｂにて下方に折り曲げられて形成されている。また、脱落防止係止部５は、表紙片２ｂ側の開口部４の側端部４aを折り曲げ線５aにて上方に折り曲げられて形成されている。取り出しガイド７は、開口部４から突出しており、折り曲げ線５aを基点として、開口部４の内側及び外側（図では、矢印の方向）へ、自由に屈曲することが出来る。
【００２６】
では、次に、表紙２の開口部４へ背表紙３の側端部３a側を差し込んだ様子を図４の（ｂ）に示す。差し込まれた背表紙３は、開口部４内で差し込み方向の前後へスライドすることができるので、綴じ込む書類の厚さに応じて、取り出しガイド付きファイル１０の背幅を調節することができる。不図示であるが、綴じ込む書類は、当該書類に空けられた孔に綴じ足８aを通し、綴じ代１ｆ及び綴じ代２ｆの間に綴じられて、綴じ具８により固定される。なお、綴じ具８は、一般的な様々の種類のものを用いることができる。
【００２７】
ここで、背表紙３の側端部３aが開口部４から引き出され過ぎると、背表紙３の側端部３aが開口部４から抜け出して脱落してしまう虞がある。しかし、図４（ｂ）から分かるように、脱落防止片６は脱落防止係止部５と係合可能なので、背表紙３が引き出され過ぎたとしても、脱落防止片６が脱落防止係止部５に係止して、それ以上引き出すことができなくなる。その結果、背表紙３の側端部３aの脱落を防止することができるのである。
【００２８】
次に、この取り出しガイド付きファイル１０を、書類棚X等に収納した実施例を図５に示す。この取り出しガイド付きファイル１０を複数使用すると、互いの間に隙間がなくなるので、隙間に指を差し込むことが出来ず、取り出しガイド付きファイル１０を取り出すことが困難となる。また、ファイルを取り出すために、ファイルの背表紙上部に指を掛けて引き出そうとすると、当該背表紙上部が傷んでしまう。しかし、取り出しガイド７は、当該部分を摘んでファイル１０を引き出す取手部としても利用できるので、取り出しが容易となり、背表紙上部が傷むこともない。この取り出しガイド付きファイル１０によれば、収納する書類棚の高さや横幅に余裕がなくても、取り出しガイド７を摘んで容易に取り出すことが出来る。また、各取り出しガイド付きファイル１０の取り出しガイド７を、少しずつずらして配置することで、互いの取り出しガイド７が隠れることもない。
【００２９】
なお、本考案の取り出しガイド付きファイルは、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００３０】
本考案の取り出しガイド付きファイルは、背幅調節可能であって、脱落防止構造を有効に利用して、見出しとしても機能する取り出しガイドを容易に形成することが要請される産業分野に利用することができる。
【図１】
0003200308.tif 000003
【図２】
0003200308.tif 000004
【図３】
0003200308.tif 000005
【図４】
0003200308.tif 000006
【図５】
0003200308.tif 000007